(57)【特許請求の範囲】
【請求項１】
スライドトレー１の両側部に設けられたインナーレール２と、このインナーレール２に対してスライド可能に係合し、前記スライドトレー１を支持する本体側板３に取り付けられたスライドレール４とからなり、該スライドレール４の後部には、インナーレール２の後部に設けたスプリング作用を持った第１ストッパ６が係合して、必要な引き出しストロークの約１／２の長さを得るような係合孔５を穿設し、前記インナーレール２は、断面形状略コ字形で後部に外側に突出するスプリング作用を持った第１ストッパ６を、また、前部に内側に突出するスプリング作用を持った第２ストッパ７を有すると共にスライドトレー１の裏側の左右側部に係合部がスライド方向に延びていて、この係合部に横振れ防止用突部８を係合させ、さらに、スライドトレー１の側部には、必要ストロークに応じて適当個所に、前記インナーレール２の第２ストッパ７が係合する角孔９あるいは絞り部が設けられていることを特徴とするスライドトレーの支持装置。
【発明の詳細な説明】
【０００１】
【産業上の利用分野】
本発明は、例えば、米収納庫等に設けた炊飯器等を載置するスライドトレーの支持装置、あるいはワードプロセッサ等のいわゆるＯＡ機器のキーボード等を載置するスライドトレーの支持装置に関するものである。
【０００２】
【従来の技術】
従来、スライド棚の支持装置として、スライド棚の両側部に取付けられる移動レールと、この移動レールに対してスライド可能に係合し、上記スライド棚を支持する支持体に取付けられる固定レールとからなり、この固定レールは上記スライド棚側に突出する帯状の案内片と、前端部に水平軸回りに回転可能に取付けられた案内ローラとを有し、上記移動レールは、上記支持体側に突出されるとともに下面が上記案内ローラによって支持される帯状の支持片と、この支持片に下向きに突出形成された一対の凸部と、上記固定レールの案内片を挟んで上下方向で相対向し、この案内片に沿って移動するスライド部材とを有し、上記一対の凸部は上記案内ローラを前後から挟んだ状態でこの案内ローラと互いに係合するように互いの間隔が設定されるとともに、この一対の凸部はスライド棚が上記支持体前方の使用位置に引出された状態で上記案内ローラと係合するように配置され、上記固定レールの案内片には、スライド棚が上記使用位置より前方に引出された状態で、移動レールのスライド部材と互いに接触してこのスライド棚の前方への移動を阻止するストッパー部材が着脱可能に取り付けられている。（特開平２−２４９５０７号公報参照）等が存在している。
【０００３】
【発明が解決しようとする課題】
しかしながら、前記の従来技術におけるスライド棚の支持装置は、スライド棚の引き出しストロークに限度があり、しかも、スライド棚を一杯に引き出すとスライド棚が横振れを起こしてしまうという欠点があった。
【０００４】
本発明は、この点に鑑み、スライドレールの係合孔と、スライドトレーの側部に設けた角孔を利用して、インナーレールの後部、前部に設けたスプリング作用を持った第１、第２ストッパとによってストローク幅を延長し、さらにインナーレールの前部にスライドトレーを引き出した際、横振れを防止する突部を形成したスライドトレーの支持装置を提供することを目的とするものである。
【０００５】
【課題を解決するための手段】
本発明は、前記課題を解決するために、スライドトレーの両側部に設けられたインナーレールと、このインナーレールに対してスライド可能に係合し、前記スライドトレーを支持する本体側板に取り付けられたスライドレールとからなり、該スライドレールの後部にはインナーレールの後部に設けたスプリング作用を持った第１ストッパが係合して、必要な引き出しストロークの約１／２の長さを得るような係合孔を穿設し、前記インナーレールは、断面形状略コ字形で後部に外側に突出するスプリング作用を持った第１ストッパを、また、前部に内側に突出するスプリング作用を持った第２ストッパを有すると共にスライドトレーの裏側の左右側部に係合部がスライド方向に延びていて、この係合部に横振れ防止用突部を係合させ、さらに、スライドトレーの側部には、必要ストロークに応じて適当個所に、前記インナーレールの第２ストッパが係合する角孔あるいは絞り部が設けられるという技術手段を採用した。
【０００６】
【作用】
本発明は、以上の技術手段を採用した結果、スライドトレーの引き出しストロークを延長させると共に、スライドトレーを最も引き出した際でも、横振れを防止することができる。
【０００７】
【実施例】
以下、本発明の一実施例を添付図面に基づいて詳細に説明する。
先ず、図１に基づいて、本発明のスライドトレーの全体像を概略説明すると、複数段（本実施例は２段）のスライドトレー１を設け、該スライドトレー１は、インナーレール２、スライドレール４を介してスライド可能になっている。
【０００８】
次に、図２〜図８に基づいて、本発明のスライドトレーの支持装置の構成を詳細に説明する。
【０００９】
スライドレール４は、図２〜図５からも理解できるように、受板１０と、本体側板３により支持されていて、インナーレール２がスライドできるように、断面略コ字形状の部分を設けたものである。さらに後部に、インナーレール２の後部に設けられた、スプリング作用を持った第１ストッパ６と係合するインナーレール２のストロークを決定する係合孔５が形成されている。
【００１０】
また、インナーレール２は、図２〜図５からも理解できるように、断面形状略コ字形で後部には、スプリング作用を持った外側に突出した第１ストッパ６を有し、前部には、同じくスプリング作用を持った内側に突出した第２ストッパ７を有している。なお、上下に少なくとも前後にスライドを円滑にするための円弧状突出部１１が設けられている。
【００１１】
そして、インナーレール２の前部のスプリング作用を持った第２ストッパ７が係合できるように、スライドトレー１の両側部に角孔９あるいはへこませた絞り部を、インナーレール２とスライドトレー１のストローク分に相当する間隔で設けられている。さらにこのストロークの引き出しを円滑にするために、インナーレール２には案内孔１２が形成され、この案内孔１２を案内にして、スライドトレー１の後部に係止部１３が突設されている。
【００１２】
以上のように各部材が構成されていることにより、図６〜図８に示すものから理解できるように、先ず図６ではスライドトレー１が、本体内に収納状態で納められているところを示す。図７では、スライドレール４の係合孔５を案内にインナーレール２の後部のスプリング作用を持った外側に突出した第１ストッパ６が係合して、この係合孔５の長さ分のストローク範囲引き出すことができた状態を示すものである。図８では、さらにスライドトレー１を引き出した所を示したもので、これは図７で示した途中までの引き出し状態は、スライドレール４の係合孔５のストローク範囲をインナーレール２の後部の第１ストッパ６で案内され、係合孔５の一番手前側迄くると係止された状態になるので、インナーレール２はここで停止した状態になる。
【００１３】
ここでスライドトレー１をさらに引っ張ると、インナーレール２の前部のスプリング作用を持った第２ストッパ７が、スライドトレー１の前部に穿設された角孔９から弾性が作用してはずれてインナーレール２に対してスライドトレー１がスライドしながら前方に引き出される。この際、インナーレール２に設けた案内孔１２を案内にしてスライドトレー１の係止部１３が、係止するまで引き出すことができる。それはスライドトレー１に穿設された必要ストロークに応じて適当個所に設けた角孔９に係合してスライドトレー１は停止し、従来のスライドトレー１の引き出しストロークを大幅に伸ばすことができたものである。
【００１４】
この際スライドトレー１の引き出し量を長くしたことによって横振れを起こすが、図２〜図４に示すように、スライドトレー１の裏側の左右側部に係合部がスライド方向に延びていて、この係合部に係合するインナーレール２の前端部に形成した横振れ防止用突部８で防止できるように構成されている。
【００１５】
【発明の効果】
本発明は、以上の構成を採用した結果、次のような効果を得ることができる。
（１）スライドトレーの引き出しストロークを大幅に長くすることができる。
（２）インナーレールが左右同時に作動するので円滑なスライドトレーの引き出しが可能である。
（３）スライドトレーを一杯に引き出しても横振れが生じないものである。
【図面の簡単な説明】
【図１】本発明のスライドトレーを備えた棚の全体斜視図である。
【図２】前記実施例における、要部の分解斜視図である。
【図３】スライドトレーが本体に収納された状態を示す要部断面図である。
【図４】図３におけるＸ−Ｘ矢視断面図である。
【図５】図３におけるＹ−Ｙ矢視断面図である。
【図６】スライドトレーを本体内に収納された状態を示す要部断面図である。
【図７】スライドトレーを途中まで引き出した状態を示す要部断面図である。
【図８】スライドトレーを最大に引き出した状態を示す要部断面図である。
【符号の説明】
１‥‥スライドトレー                  ２‥‥インナーレール
３‥‥本体側板                        ４‥‥スライドレール
５‥‥係合孔                          ６‥‥第１ストッパ
７‥‥第２ストッパ                    ８‥‥横振れ防止用突部
９‥‥角孔                          １０‥‥受板
１１‥‥円弧状突出部                  １２‥‥案内孔
１３‥‥係止部
【図１】
0003624958.tif 000002
【図２】
0003624958.tif 000003
【図３】
0003624958.tif 000004
【図４】
0003624958.tif 000005
【図５】
0003624958.tif 000006
【図６】
0003624958.tif 000007
【図７】
0003624958.tif 000008
【図８】
0003624958.tif 000009